(57)【特許請求の範囲】
【請求項１】
筒軸状の筺体の、一方に筆記具が、他方に、基材に転写媒体を塗布した転写テープが巻装された送出軸部、該転写テープの基材を巻き取る巻取軸部、転写媒体を被転写体へ転写する転写部、を備えた転写具が、各々挿入された転写具付筆記具であって、前記巻取軸部を前記筺体の筆記具側、前記送出軸部を前記筺体の転写具側となるように配置し、前記送出軸部の巻径の最大部から転写部側を前記筺体の外に位置するように挿入すると共に、前記筐体は、転写具を挿入するホルダと、前記ホルダの外周の一部に設けられたクリップとからなり、前記ホルダと前記クリップの接続部を空洞とすることを特徴とする転写具付筆記具。
【請求項２】
転写部と一体的に形成された先端部と、該転写部先端を露出して転写テープの搬送経路を確保した状態で前記筺体の他方に転写具を挿入した際に該筺体の他方より外に位置する部位を覆う、送出軸部と巻取軸部の軸方向の一方部と他方部に分割された本体部とからなり、かつ前記筺体の他方に対する転写具の抜け止めを可能とするカバーを有することを特徴とする請求項１記載の転写具付筆記具。
【請求項３】
送出軸部の軸の両端と該巻取軸部の軸の片端を枢支した支持板を有し、前記送出軸部の軸の両端をそれぞれ枢支した両側の支持板のうち、前記巻取軸部の軸の片端を枢支していない側が筺体の他方から外に位置することを特徴とする請求項１又は２記載の転写具付筆記具。
【請求項４】
転写部先端を、露出するために開いた状態と、保護するために閉じた状態と、のそれぞれの維持が可能なキャップを転写部構成の一部に開閉自在に設けたことを特徴とする請求項１〜３のいずれかに記載の転写具付筆記具。
【請求項５】
転写部は、筺体の他方に対し、一定範囲で軸回転が許容される構成であることを特徴とする請求項１〜４のいずれかに記載の転写具付筆記具。
【請求項６】
筒軸状の筺体の、一方に筆記具が、他方に、基材に転写媒体を塗布した転写テープが巻装された送出軸部、該転写テープの基材を巻き取る巻取軸部、転写媒体を被転写体へ転写する転写部、を備えた転写具が、各々収納された転写具付筆記具に用いられる転写具のカートリッジであって、前記巻取軸部を前記筺体の一方側、前記送出軸部を前記筺体の他方側となるように配置し、かつ送出軸部の軸の両端と該巻取軸部の軸の片端を枢支した支持板を有し、前記送出軸部の軸の両端をそれぞれ枢支した両側の支持板のうち、前記巻取軸部の軸の片端を枢支していない側が筺体の他方から外に位置するように構成すると共に、前記筺体の他方の内周面と接触する該支持板の一部に抜止部を形成したことを特徴とするカートリッジ。
【発明の詳細な説明】
【技術分野】
【０００１】
本発明は、筒軸状の筺体の、一方に筆記具を、他方に転写具を、各々備えた転写具付筆記具において、転写具における送出軸部の転写テープの巻き長さを変えずに筺体の内径を小さくすることができる技術に関する。
【背景技術】
【０００２】
転写媒体を紙などの被転写体に転写する転写具は、主要構成として、筐体内に、基材に転写媒体が塗布された転写テープが巻装された送出軸部、転写テープのうちの転写媒体が被転写体へ転写された後の基材を巻き取る巻取軸部、及び転写テープの転写媒体を被転写体へ転写する転写部を備えている。なお、以下、特別に転写テープ、転写媒体、基材を説明しない限り、送出側における転写テープ、巻取側における基材、を総称して「基材」と言うこととする。
【０００３】
最近では、筆記具（例えばボールペン）構成を収納した筺体における、ペン先が位置する一方端と反対の該ケースの他方端に上記転写具の構成のうち筺体を除く構成を収納したものも提案されている（特許文献１）。特許文献１では、ペン先とは反対側の筺体（ここを以下「ホルダ」という）には収納された消しゴムや印鑑に代わり、転写具の筺体を除く構成を収納するために、以下の構成としている。
【０００４】
すなわち、特許文献１では、上記転写具の構成において、送出軸部及び巻取軸部を回転可能に枢支すると共に転写部を設けた枢支板を、該送出軸部と該巻取軸部の軸両端に設けて、枢支板により一体とされた送出軸部、巻取軸部、転写部をホルダ内に収納する構成としている。
【０００５】
上記特許文献１の構成によれば、例えばホルダ内径１６ｍｍに対して、基材２．５ｍを巻いた送出軸部が収納されるといったように、どうしても転写具として所定の巻き長さの送出軸部を収納しようとすると、送出軸部における基材の「巻径」に対応するホルダ内径が必要となる。
【０００６】
なお、巻径に関して送出軸部を基準に考える理由は、送出軸部においては基材に転写媒体が塗布されている「転写テープ」が巻装される一方、巻取軸部においては転写媒体が被転写体へ転写された後の「基材」だけが巻装されており、使用前の転写テープが巻装された送出軸部と、使用後の基材が巻装された巻取軸部とでは、転写媒体の塗布厚分だけ該送出軸部の方が巻径が大きいためである。
【０００７】
また、上記特許文献１の構成によれば、例えばホルダ内径１６ｍｍに対して、基材２．５ｍを巻いた送出軸部の巻径に較べ、枢支板２枚分の「厚み寸法」と該送出軸部の「幅寸法」が大きいのであれば、当然にこれら厚み寸法と幅寸法を合わせた寸法が収納できるホルダ内径が必要となる。
【０００８】
しかしながら、特許文献１の構成では、筆記具としての使い勝手を考慮すると、これ以上、ケース（ホルダ）径を大きくすることは望ましくなく、むしろできるだけホルダ径を小さく（細く）することが望ましいが、ホルダ径を小さくするということは、結果的に、同等の巻き長さ、巻径の送出軸部をホルダ内に納めることができないこととなる。
【０００９】
つまり、特許文献１の構成では、筆記具として筺体の径を細くしようとすると、転写具構成の送出軸部における巻き長さを短くする必要があり、その逆に、送出軸部の巻き長さを長くしようとすると、筺体の径（特にホルダの内径）を太くする必要があり、筺体の径をできるだけ大きくしないことと、送出軸部の巻き長さを長くすること、の両立させることができなかった。
【先行技術文献】
【特許文献】
【００１０】
【特許文献１】特開２００４−１３６４６９号公報
【発明の概要】
【発明が解決しようとする課題】
【００１１】
解決しようとする問題は、従来の筆記具が収納された側とは反対側の筺体に転写具を収納する転写具付筆記具の構成では、筺体の径を大きくすると筆記具の使い勝手が悪化し、送出軸部の巻き長さを短くすると転写具の使用寿命も短くなり、これらの両者をバランスよく向上させる、あるいは、少なくとも送出軸部の巻き長さを変えることなく筺体の径を小さくすることができない点である。
【課題を解決するための手段】
【００１２】
上記課題を解決するため、本発明は、筒軸状の筺体の、一方に筆記具が、他方に、基材に転写媒体を塗布した転写テープが巻装された送出軸部、該転写テープの基材を巻き取る巻取軸部、転写媒体を被転写体へ転写する転写部、を備えた転写具が、各々収納された転写具付筆記具であって、前記巻取軸部を前記筺体の筆記具側、前記送出軸部を前記筺体の転写具側となるように配置し、前記送出軸部の巻径の最大部から転写部側を前記筺体の外に位置するように挿入すると共に、前記筐体は、転写具を挿入するホルダと、前記ホルダの外周の一部に設けられたクリップとからなり、前記ホルダと前記クリップの接続部を空洞とすることを最も主要な特徴とする。
【発明の効果】
【００１３】
上記構成とすることで、筒軸状の筺体の他方、すなわち転写具を挿入する側の内径を、送出軸部の巻き長さ、すなわち巻径（直径）に合わせる必要がなく、転写媒体を転写した後の巻取軸部の基材の巻径寸法まで細くすることができる一方、送出軸部の巻き長さについては筺体の他方の内径の制限を緩和することができる。
【００１４】
つまり、本発明は、送出軸部の巻き長さを長くするために筺体の径を著しく太くしたり、筺体の径を細くするために送出軸部の巻き長さを著しく短くしたり、といったことなく、筺体の径を細くすることと、送出軸部の巻き長さを長くすることとをバランスよく両立させることができる。
【図面の簡単な説明】
【００１５】
【図１】本発明の筆記具付転写具における転写具部分の、（ａ）は正面図、（ｂ）は背面図、（ｃ）は部分断面図、である。
【図２】（ａ）〜（ｃ）は本発明の筆記具付転写具から転写具部分が抜き出た状態を示す図である。
【図３】本発明の筆記具付転写具における転写具部分の、（ａ）は筺体に対して挿入されている状態を示す図、（ｂ）は転写具だけの構造を示す図、である。
【図４】本発明の筆記具付転写具の転写具部分におけるカバーの、（ａ）は本体部を、（ｂ）（ｃ）は先端部を、各々示す図である。
【図５】（ａ）（ｂ）は本発明の筆記具付転写具の転写具部分におけるキャップをカバーの先端部から開けた状態を示す図である。
【図６】（ａ）（ｂ）は本発明の筆記具付転写具の転写具部分におけるキャップをカバーの先端部から閉めた状態を示す図である。
【発明を実施するための形態】
【００１６】
本発明の転写具付筆記具は、筺体の径を細くすることと、送出軸部の巻き長さを長くすること、とが相反するという課題を、転写具の巻取軸部を筺体の筆記具側、送出軸部を筺体の転写具側となるように配置し、前記送出軸部の巻径の最大部から転写部側を前記筺体の外に位置するように挿入すると共に、前記筐体は、転写具を挿入するホルダと、前記ホルダの外周の一部に設けられたクリップとからなり、前記ホルダと前記クリップの接続部を空洞とすることで解消した。
【００１７】
また、本発明は、上記において、転写部と一体的に形成された先端部と、該転写部先端を露出して基材の搬送経路を確保した状態で前記筺体の他方に転写具を挿入した際に該筺体の他方より外に位置する部位を覆う、送出軸部と巻取軸部の軸方向の一方部と他方部に分割された本体部とからなり、かつ前記筺体の他方に対する転写具の抜け止めを可能とするカバーを有する形態としてもよい。
【００１８】
こうすることで、転写具構成が筺体から抜け出すことを積極的に防止することができると共に、転写具の特に送出軸部及び転写部周辺が外部と接触することを確実に保護するカバーを先端部と本体部（一方部と他方部）により組み立て容易でかつ剛性を損なうことなく構成することができる。
【００１９】
また、本発明は、上記において、送出軸部の軸の両端と該巻取軸部の軸の片端を枢支した支持板を有し、前記送出軸部の軸の両端をそれぞれ枢支した両側の支持板のうち、巻取軸部の軸の片端を枢支していない側が筺体の他方から外に位置する形態としてもよい。
【００２０】
こうすることで、送出軸部の軸両端を支持する支持板のうち、片方の支持板は巻取軸部の軸の片端を支持した片持ち状態とされ、かつこの片持ち状態となった側と反対側の支持板が筺体の他方から外に位置することで、筺体内の空間では支持板１枚分のスペースが削減されるから、筺体の細径化に寄与できる。
【００２１】
さらに、本発明は、上記において、露出するために開いた状態と、保護するために閉じた状態と、のそれぞれの維持が可能なキャップを転写部構成の一部に開閉自在に設けた構成としてもよい。
【００２２】
こうすることで、キャップの閉時には転写部の先端を確実に保護することができると共に、開時にはその状態を維持して良好に使用することができ、一方、閉時にはその状態を維持することで転写媒体や基材が傷付くことを防止でき、さらに転写部構成の一部に開閉自在に設けているので該キャップを無くすことがない。
【００２３】
また、本発明は、上記において、転写部は、筺体の他方に対し、一定範囲で軸回転が許容される構成とする形態としてもよい。
【００２４】
こうすることで、被転写体に対する筺体の傾動に転写部を追従させることができ、よって転写部先端の一部だけしか被転写体と接触しない、いわゆる片当たりによって転写媒体が全面的な転写ができないといった転写不良が抑制される。
【００２５】
さらに、本発明は、以上の構成において、筺体の他方の外周面にクリップを設け、このクリップと筺体の他方の外周との接続部を空洞として該接続部における内部空間を広く確保した形態としている。
【００２６】
こうすることで、筺体の他方の外径寸法はそのままで、接続部の空洞とした分だけ筺体の他方の内部空間を広く確保できるから、巻き長さの多い転写具構成を収納することができるようになる。
【００２７】
また、本発明の転写具付筆記具に用いられる転写具部分の交換カートリッジとしては、巻取軸部を前記筺体の一方側、前記送出軸部を前記筺体の他方側となるように配置し、かつ送出軸部の軸の両端と該巻取軸部の軸の片端を枢支した支持板を有し、前記送出軸部の軸の両端をそれぞれ枢支した両側の支持板のうち、前記巻取軸部の軸の片端を枢支していない側が筺体の他方から外に位置するように構成すると共に、前記筺体の他方の内周面と接触する該支持板の一部に抜止部を形成したものが望ましい。
【００２８】
本発明のカートリッジを用いることで、転写具付筆記具の筺体における他方の内径が小さくても、送出軸部及び巻取軸部の各々の軸両端をそれぞれ支持板で支持する構成に較べて、１枚分の支持板の厚みを筺体の他方の内径から省略することができ、転写具付筆記具における筺体の他方の内径の細寸法化に寄与できる。
【実施例】
【００２９】
以下、図１〜図６を参照して本発明の具体的実施形態について説明する。１は、本発明の転写具付筆記具である。本発明における転写具付筆記具１は、筒軸状の筐体２の、一方に筆記具３の構成が、他方に転写具４の構成が挿入されたものである。なお、本実施例では、以下、筐体２の他方についてはホルダ２Ａと言うこととし、また、筆記具３は本発明の特徴としていない通常の構成とされているので、説明は省略する。
【００３０】
転写具４の構成としては、転写媒体が塗布された基材（つまり転写テープ）が巻装された送出軸部５、転写テープのうちの基材を巻き取る巻取軸部６、及び転写テープのうちの転写媒体を被転写体へ転写する転写部７を備え、本例においては部品点数を削減してホルダ２Ａ内のスペースを有効に利用する目的で送出軸部５と巻取軸部６との駆動には両者の軸部（後述する支持板８ｂ側＝支持板８ａが巻取軸部６の軸のもう片方を枢支していない側）に架けたベルトＢを採用している。
【００３１】
なお、改めて、以下の説明では、特に転写媒体、転写テープと記さない限り、送出側及び巻取側の経路上で搬送されるのは基材（送出側ではこの基材に転写媒体が塗布されている、巻取側では基材だけが搬送される）であることから、全般的に「基材」と記して説明する。
【００３２】
図１及び図２に示すように、転写具４は、ホルダ２Ａへ挿入する方向、つまり筆記具３側から見て、巻取軸部６、送出軸部５の順に、すなわち、送出軸部５が筺体２における該転写具４側に位置するように挿入される。このとき、送出軸部５における転写テープの巻径の最大部、つまり直径部を含む送出軸部５側がホルダ２Ａより外に位置するように挿入される。
【００３３】
本発明における、「送出軸部５の直径部を含む送出軸部５側をホルダ２Ａより外に位置させる」とは、図３に示すように、次のことを意味する。「送出軸部５の直径部」とは、転写具４をホルダ２Ａに挿入する方向に対して直交する送出軸部５の直径部位を意味する。したがって、送出軸部５の「直径部を含む送出軸部５側」とは、送出軸部５における直径部位とこの位置より送出軸部５側に位置する部位を意味する。
【００３４】
一方、「ホルダ２Ａより外に位置させる」とは、ホルダ２Ａの挿入開口（内径を測ることのできる直径部位）の先端よりさらに該ホルダ２Ａの送出軸部５側へ移動した空間、つまり簡単に言えば該ホルダ２Ａに挿入されていない状態を意味する。
【００３５】
本例では、図１に示されるように、ホルダ２Ａの外周の一部にクリップ２Ｂが設けられている。このクリップ２Ｂは、転写具付筆記具１を携帯時に例えば衣服の胸ポケットなどに係合させるものであるが、本発明においては、転写具４を収納する空間を増やす意義をなす。
【００３６】
すなわち、クリップ２Ｂは、ホルダ２Ａとの接続部位に空洞部２ｂが形成されており、この空洞部２ｂに、筺体２の径（ホルダ２Ａの内径）を細くした場合、あるいは送出軸部５の巻き長さを長くした場合、の一方又は両方における送出軸部５の直径部位を含む巻取軸部６側が収納されることとなる。
【００３７】
さらに、本例における転写具４は、巻取軸部６を筺体２のホルダ２Ａに挿入した際に筆記具３側（一方側）、送出軸部５を筺体２の転写具４側つまり筆記具３とは反対側（他方側）、となるように、支持板８に送出軸部５及び巻取軸部６が枢支されている。
【００３８】
図２に示すように、支持板８は支持板８ａ，支持板８ｂからなる。支持板８ａは、送出軸部５の軸の片方端と巻取軸部６の軸の片方端を枢支している。また、支持板８ｂは、送出軸部５の軸のもう片方の端部を枢支しており、巻取軸部５の軸のもう片方は枢支していない。さらに、支持板８ａはホルダ２Ａ内に挿入され、支持板８ｂはホルダ２Ａ外に位置するように構成されている。
【００３９】
ここで言う「支持板８ｂがホルダ２Ａ外に位置する」とは、支持板８ｂの、支持板８ａの対向面とは反対側の面（外側）が、ホルダ２Ａの内径に接しない状態を意味する。
【００４０】
つまり、支持板８ｂは、図１（ａ）に示すように、ホルダ２Ａの先端が支持板８ｂの部分だけ抉られているような場合は該支持板８ｂの外側が内径に接しない状態なので、ホルダ２Ａ外に位置することとなる。もちろん、ホルダ２Ａが抉られていない状況で支持板８ｂがホルダ２Ａに全く挿入されていない状況も態様としては有り得る。
【００４１】
また、支持板８ａに片持ち枢支された巻取軸部６は、上記のとおり、この側にはベルトＢが架けられているので、ベルトＢが該送出軸部５と巻取軸部６との軸間を接近させるような適切な張力がかかっていることにより、支持構造と駆動回転、いずれにおいても問題はない。
【００４２】
ここで、支持板８による枢支について説明する。支持板８ａは、送出軸部５、巻取軸部６の軸端の外側（軸端面）を覆って該軸端を外周縁が回動可能かつ自立するように枢支している。つまり、軸端の外側に支持板８ａの板厚が存在することとなる。
【００４３】
これに対し、支持板８ｂは、送出軸部５は上記支持板８ａのように枢支するが、巻取軸部６については、支持板８ｂの板厚分が巻取軸６側へ窪んだ段部が形成されてベルトＢの厚みに吸収され、かつ巻取軸部６側でベルトＢが架けられるプーリのクラウン部と接触してベルトＢの張力によって送出軸部５と巻取軸部６との接近に対して抗する支えとして機能している。
【００４４】
つまり、支持板８ｂは巻取軸部６を支持板８ａのようには枢支してなく、該支持板８ｂの板厚はプーリ（ベルトＢ）の厚みに吸収されている。よって、支持板８ｂの板厚は支持板８ａのようにホルダ２Ａの内部空間を占有することがない。
【００４５】
本例では、図１（ｂ）及び図２（ｃ）等に示すように、支持板８ａにおける送出軸部５と巻取軸部６の中間位置で該送出軸部５と巻取軸部６の存在する側とは反対の面に、突状の抜止部８Ａが形成されている。
【００４６】
この抜止部８Ａは、支持板８ａに形成された切溝８ａａにより該抜止部８Ａの部位が弾性変形可能とされ、この部位が弾性変形した状態でホルダ２Ａ内壁を摺動しつつ移動した後に、該ホルダ２Ａ内に形成された窪部２ａと係合した際に弾性復元して、支持板８がホルダ２Ａから抜け出ることを防止している。
【００４７】
さらに、支持板８は、支持板８ａ及び支持板８ｂの転写部４側の先端部に、図３に示すカバー９を設けている。カバー９は、本例では、本体部９Ａと先端部９Ｂとからなる。
【００４８】
本体部９Ａは、転写具４をホルダ２Ａに挿入した際に、ホルダ２Ａより外に位置する部位を覆う。本例では、本体部９Ａは、未使用の送出軸部５の直径部が収まる内径を筆記具３側として、転写具４側に内径が小さくなる本例では切頭円錐状としているが、未使用の送出軸部５の直径部が収まる内径とする筒状としていてもよい。すなわち、転写具付筆記具１を全体的に見れば、このカバー９の本体部９Ａの部分だけが太い形態も有り得る。
【００４９】
本体部９Ａは、さらに、送出軸部５と巻取軸部６の軸方向に一方部９Ａａと他方部９Ａｂに分割されている。そして、一方部９Ａａと他方部９Ａｂとは、送出軸部５の軸中心位置の互いの対向面に相対する面に向かって突設した嵌合軸（不図示）を該送出軸部５の軸内で嵌合させることによって一体的に結合させて、省スペース化と転写具部分の小型化を達成している。
【００５０】
本例では、本体部９Ａの、一方部９Ａａは支持板８ａと一体的に形成され、他方部９Ａｂは支持板８ｂと一体的に形成されていることから、該本体部９Ａも抜止部８Ａによってホルダ２Ａから抜け出ないようになっている。
【００５１】
また、本例では、本体部９Ａは、支持板８ａと支持板８ｂの該本体部９Ａの先端に、該本体部９Ａの筒部を抜けて突出した係合部９ａ，９ａが形成されており、この係合部９ａ，９ａが後述する先端部９Ｂの係合孔９ｂ，９ｂと係合する構成とされている。さらに、本体部９Ａの先端外周面には段部９ｃが形成されており、この段部９ｃが先端部９Ｂの後端の内周面に形成されたガイド９ｄと嵌合する。
【００５２】
図４に示すように、先端部９Ｂは、転写部７が一体的に形成され、転写テープの搬送経路を確保した状態で本体部９Ａの一方部９Ａａと他方部９Ａｂの一体結合の剛性強化の機能を果たすと共に、本例では、ホルダ２Ａに対して、具体的にはホルダ２Ａに対して挿入されている送出軸部５及び巻取軸部６を枢支した支持板８ａ，支持板８ｂと一体的に形成された本体部９Ａに対して、一定範囲の軸回転が許容される構成とされている。
【００５３】
すなわち、カバー９は、組み立ての容易性や小スペースにおける効率的な部品形状を勘案して本体部９Ａを一方部９Ａａと他方部９Ａｂとで構成しているのであるが、一方部９Ａａと他方部９Ａｂとを結合を強固なものとし、かつ使用時に使用者から加わる荷重に耐える（がたついたり、隙間が生じない）構造とするために、さらに先端部９Ｂを設けることとしているのである。
【００５４】
本例では、先端部９Ｂの筺体の後端（筆記具側）の内周面に形成されたガイド９ｄが、一方部９Ａａと他方部９Ａｂとを一体とした状態で転写部７側の先端外周に形成された段部９ｃと嵌合する。つまり、本例のカバー９は、先端部９Ｂにより一方部９Ａａと他方部９Ａｂとを束ねるようにして設けることで、上記の効果、つまり小型化と省スペース化、さらに剛性向上の両立を達成するようにしている。
【００５５】
さらに、先端部９Ｂは、本体部９Ａの係合部９ａ，９ａと該先端部９Ｂの転写部７の形成された部位の両側面部に形成された係合孔９ｂ，９ｂとが嵌合する。また、先端部９Ｂは、後端の内周面に形成されたガイド９ｄと、本体部９Ａの先端の外周面に形成された段部９ｃとが嵌合すると共に、係合孔９ｂ，９ｂが、係合部９ａ，９ａより余裕のある大きさとされていることで、本体部９Ａに対して該係合孔９ｂ，９ｂと係合部９ａ，９ａが当接する範囲での軸回転が許容される。
【００５６】
さらに本例においては、先端部９Ｂは、搬送方向上流側（図３においては下方）に、転写部７の先端の露出と保護するために開閉自在とすると共に閉じた状態と開いた状態の各々の状態の維持が可能とされたキャップ９Ｃが設けられている。
【００５７】
キャップ９Ｃは、図４〜図６に示すように、先端部９Ｂの搬送方向上流側にヒンジ部９ｅを介して設けられ、該ヒンジ部９ｅを形成した方向と反対の端部（つまり転写部７を覆う部位）の外面に係止窪９ｆが形成され、この係止窪９ｆが本体部９Ａの搬送方向上流側でキャップ９Ｃの開時に係止窪９ｆに対応する位置に形成された係止突９ｇにより係止されることで、開いた状態が維持される構成となっている。
【００５８】
また、キャップ９Ｃは、転写部７を保護する側において、該転写部７を覆う部位の幅方向の両端に狭持部９ｈが形成されており、一方、先端部９Ｂの転写部７の幅方向両端には該狭持部９ｈに十分に接触するように被狭持部９ｉが形成されている。キャップ９Ｃは、これら狭持部９ｈと被狭持部９ｉとが接触係合することで閉状態が維持される構成となっている。なお、本例では、被狭持部９ｉ同士の間隔は狭持部９ｈ同士の間隔より僅かに広く設定され、キャップ９Ｃの材質の弾性変形によって被狭持部９ｉを把持するようにしている。
【００５９】
キャップ９Ｃは、開閉自在でかつ開状態と閉状態を維持できる構成を、ヒンジ部９ｅを介して、カバー９の先端部９Ｂに設けているので、開状態のままで上記のように転写部７を片当たり防止のために軸回転及び閉状態で軸回転してもキャップ９Ｃが外れることを防止できると共に、開閉いずれの状態であっても紛失することがない。
【００６０】
なお、以上の説明において、転写具７は、本例では転写具付筆記具１に対して全体がホルダ２Ａに対して挿脱可能な構成として説明しているが、該転写具７の構成のうち、転写具付筆記具１の転写具４の構成の交換部材となるカートリッジ４０としては次のように構成する。
【００６１】
すなわち、カートリッジ４０は、上記構成においては支持板８ａと支持板８ｂとにより送出軸部５と巻取軸部６とを支持した構成、あるいは、支持板８とカバー９における本体部９Ａとが一体となった構成、までが相当する。なお、カバー９の先端部９Ｂは非交換部材としてもよいし、カートリッジ４０側の構成の一部（つまり交換部材）としてもよい。
【００６２】
カートリッジ４０は、転写具付筆記具１の対応が前提となるが、支持板８ｂはホルダ２Ａ内に挿入されることがないので、該ホルダ２Ａ内径の圧迫を軽減でき、その分だけ該ホルダ２Ａの径を細くすることができる（ホルダ２Ａの内径の細い転写具付筆記具１の交換用のカートリッジ４０として採用できる）。
【符号の説明】
【００６３】
１  転写具付筆記具
２  筺体
２Ａ  ホルダ
２Ｂ  クリップ
３  筆記具
４  転写具
５  送出軸部
６  巻取軸部
７  転写部
８  支持板
８Ａ  抜止部
８ａ  支持板
８ｂ  支持板
９  カバー
９Ａ  本体部
９Ｂ  先端部
９Ｃ  キャップ
４０  カートリッジ
【図１】
0006527378.tif 000002
【図２】
0006527378.tif 000003
【図３】
0006527378.tif 000004
【図４】
0006527378.tif 000005
【図５】
0006527378.tif 000006
【図６】
0006527378.tif 000007